(57)【要約】      （修正有）【課題】身近なところに違和感無く置いておくことができ、災害発生時等の緊急時に直ちに使用可能である、審美性に優れた電池サイズ変換アダプターを提供する。【解決手段】指定の電池規格サイズと同様の直径・高さを有する筒状体１から成り、該筒状体１には、下位サイズの電池２を収容する収容部１１を有する構成であり、該収容部１１に下位サイズの電池２を収容した状態で電気器具の電池ボックス内に収納することにより、下位サイズの電池２を電気器具が指定する電池規格サイズとして使用することが可能な電池サイズ変換アダプターにおいて、筒状体１が、指定の電池規格サイズと同様の直径・高さを有するこけし人形から成り、こけし人形の底面部１２から上方に向かって、１段階乃至は複数段階小さな下位サイズの電池を収容する収容部１１が穿設されており、収容部１１に下位サイズの電池２を収容することによりこけし人形の頭頂部１３と底面部１２に電極部２１、２２が配設された状態となる。【選択図】図１
0003205551.tif 000002
【実用新案登録請求の範囲】
【請求項１】
電気器具が指定する電池規格サイズよりも１段階乃至は複数段階小さな下位サイズの電池に装着して、指定する電池規格サイズと同等サイズに変換する変換アダプターであり、
該変換アダプターが、指定の電池規格サイズと同様の直径・高さを有する筒状体から成り、該筒状体には、下位サイズの電池を収容する収容部を有する構成であり、
該収容部に下位サイズの電池を収容した状態で前記電気器具の電池ボックス内に収納することにより、下位サイズの電池を前記電気器具が指定する電池規格サイズとして使用することが可能な電池サイズ変換アダプターにおいて、
前記筒状体が、指定の電池規格サイズと同様の直径・高さを有するこけし人形から成り、
該こけし人形の底面部から上方に向かって、１段階乃至は複数段階小さな下位サイズの電池を収容する収容部が穿設されており、該収容部に下位サイズの電池を収容することにより該こけし人形の頭頂部と底面部に電極部が配設された状態となる構成であることを特徴とする電池サイズ変換アダプター。
【請求項２】
前記収容部に収容した電池の上端の電極が前記頭頂部から露出した状態に成ると共に、前記収容部に収容した電池の下端の電極が前記底面部から露出した状態に成ることにより、前記電池サイズ変換アダプターの両電極と成る構成であることを特徴とする請求項１に記載の電池サイズ変換アダプター。
【請求項３】
前記こけし人形の頭頂部及び／又は底面部に通電部が露出状態で設けられており、この通電部の他端が前記収容部の内部に露出すると共に、この露出した通電部他端に、収容した電池の電極部が接触通電する構成であることを特徴とする請求項１に記載の電池サイズ変換アダプター。
【請求項４】
前記こけし人形が、轆轤成形された木製であることを特徴とする請求項１〜３のいずれかに記載の電池サイズ変換アダプター。
【考案の詳細な説明】
【技術分野】
【０００１】
本考案は電池サイズ変換アダプターに関し、詳しくは、電池規格サイズの小さな電池に装着することにより電池規格サイズの大きな電池として用いることができる電池サイズ変換アダプターに関する。
【背景技術】
【０００２】
災害時等に有用な懐中電灯や携帯型ラジオに代表される携帯型電気器具、その他の電池稼働式の器具や玩具等が、使用に適した電力量や電池ボックスのサイズ等に応じ、適した規格の電池が用いられている。
【０００３】
例えば、円筒形電池の規格（日本／米国／国際規格の順に表示）としては、単１形／Ｄ／Ｒ２０、単２形／Ｃ／Ｒ１４、単３形／ＡＡ／Ｒ６、単４形／ＡＡＡ／Ｒ０３、単５形／Ｎ／Ｒ１、と呼ばれるものが一般によく用いられるものであり、各電池のサイズとして直径と高さの最大値（参考値としての最小値）が規定されている。
【０００４】
各家庭や職場等においては、様々な規格の電池を用いる電気器具等が混在して使用されるため、器具によって異なる使用量や電池寿命の差により、いざ交換が必要と成った際に、所望する規格の電池が買い置き保管されているとは限らない。
【０００５】
特に、災害発生時等に重宝される大光量の懐中電灯によく用いられている単１形電池は、用いられる器具の種類が少ないだけでなく、小型電池の中では大容量で比較的寿命が長いために、買い置きを忘れることが多く、いざという時に予備の電池を切らしていることが多いのが実情である。
【０００６】
そこで、サイズの小さな電池に装着することによって大きなサイズの電池としての使用が可能となるサイズ変換アダプターが種々提案され販売されている。
【０００７】
例えば、特許文献１には、単１形電池と同等外形サイズの筒状体を単３形電池や単２形電池に装着することにより単３形電池や単２形電池を単１形電池として使用可能としたり、単３形電池と同等外形サイズの筒状体を単４形電池に装着することにより単４形電池を単３形電池として使用可能とする技術が記載されている。
【先行技術文献】
【特許文献】
【０００８】
【特許文献１】実用新案登録第３０６３０８４号
【考案の概要】
【考案が解決しようとする課題】
【０００９】
特許文献１に記載の技術によれば、異なる電池規格サイズへの変換が容易に可能ではあるが、地震等の災害発生の緊急時、特に夜間停電時の暗闇の中では、予備の電池のみならずサイズ変換アダプターを保管場所から取り出す乃至は捜し出すことは極めて困難である。
【００１０】
そこで本考案の目的は、身近なところに違和感無く置いておくことができ、災害発生時等の緊急時に直ちに使用可能である、審美性に優れた電池サイズ変換アダプターを提供することにある。
【課題を解決するための手段】
【００１１】
上記課題を解決する本考案は下記構成を有する。
【００１２】
１．電気器具が指定する電池規格サイズよりも１段階乃至は複数段階小さな下位サイズの電池に装着して、指定する電池規格サイズと同等サイズに変換する変換アダプターであり、
該変換アダプターが、指定の電池規格サイズと同様の直径・高さを有する筒状体から成り、該筒状体には、下位サイズの電池を収容する収容部を有する構成であり、
該収容部に下位サイズの電池を収容した状態で前記電気器具の電池ボックス内に収納することにより、下位サイズの電池を前記電気器具が指定する電池規格サイズとして使用することが可能な電池サイズ変換アダプターにおいて、
前記筒状体が、指定の電池規格サイズと同様の直径・高さを有するこけし人形から成り、
該こけし人形の底面部から上方に向かって、１段階乃至は複数段階小さな下位サイズの電池を収容する収容部が穿設されており、該収容部に下位サイズの電池を収容することにより該こけし人形の頭頂部と底面部に電極部が配設された状態となる構成であることを特徴とする電池サイズ変換アダプター。
【００１３】
２．前記収容部に収容した電池の上端の電極が前記頭頂部から露出した状態に成ると共に、前記収容部に収容した電池の下端の電極が前記底面部から露出した状態に成ることにより、前記電池サイズ変換アダプターの両電極と成る構成であることを特徴とする上記１に記載の電池サイズ変換アダプター。
【００１４】
３．前記こけし人形の頭頂部及び／又は底面部に通電部が露出状態で設けられており、この通電部の他端が前記収容部の内部に露出すると共に、この露出した通電部他端に、収容した電池の電極部が接触通電する構成であることを特徴とする上記１に記載の電池サイズ変換アダプター。
【００１５】
４．前記こけし人形が、轆轤成形された木製であることを特徴とする上記１〜３のいずれかに記載の電池サイズ変換アダプター。
【考案の効果】
【００１６】
請求項１に示す考案によれば、身近なところに違和感無く置いておくことができ、災害発生時等の緊急時に直ちに使用可能である、審美性に優れた電池サイズ変換アダプターを提供することができる。
【００１７】
特に、所望のサイズの電池と同等の直径・高さを有する筒状体がこけし人形から成る構成により、家庭や職場において身近な目に付く場所に違和感無く常に飾っておくことができるので、災害発生時等の緊急時においては、電灯の点かない暗闇の中であっても捜し出す苦労も無く、直ぐに手にとって使用することが可能である。
【００１８】
請求項２に示す考案によれば、こけし人形に収容した電池の電極は該こけし人形の頭頂部と底面部から露出しているので、電気器具の電池ボックスに収納した際に該電池ボックス内の電極ターミナルに当接して通電可能となる。従って、高さは略同等であるが直径が異なる電池、即ち、指定の電池規格サイズが単２形であり、この単２形と略同じ高さであるが直径が細い単３形の電池を使用する場合に、この単３形の電池の直径を単２形の直径と同等サイズに変換して用いることが可能である。
【００１９】
請求項３に示す考案によれば、こけし人形に収容した電極は、こけし人形に設けられた通電部を介して電気器具の電池ボックス内の電極ターミナルと通電可能となる。従って、直径のみならず高さも異なる電池、即ち、指定の電池規格サイズが単１形のものに単２形・単３形・単４形・単５形を使用する場合、単２形のものに単４形・単５形を使用する場合、単３形のものに単４形を使用する場合に、直径と高さの両方のサイズを指定の電池規格サイズと同等サイズに変換して用いることが可能である。
【００２０】
請求項４に示す考案によれば、伝統工芸技術によって審美性の高い電池サイズ変換アダプターを得ることができる。
【図面の簡単な説明】
【００２１】
【図１】本考案に係る電池サイズ変換アダプターの一実施例を示す６面図（正面図、平面図、底面図、左側面図、Ａ−Ａ線断面図、Ｂ−Ｂ線断面図、但し、Ａ−Ａ線断面図及びＢ−Ｂ線断面図において電池の内部構造は省略して示す。）
【図２】本考案に係る電池サイズ変換アダプターの他の実施例を示す６面図（正面図、平面図、底面図、左側面図、Ｃ−Ｃ線断面図、Ｄ−Ｄ線断面図、但し、Ｃ−Ｃ線断面図及びＤ−Ｄ線断面図において電池の内部構造は省略して示す。）
【考案を実施するための形態】
【００２２】
次に、添付の図面に従って本考案について詳細に説明する。
【００２３】
本考案に係る電池サイズ変換アダプターは、電気器具が指定する電池規格サイズよりも１段階乃至は複数段階小さな下位サイズの電池に装着して、指定する電池規格サイズと同等サイズに変換する変換アダプターであり、
具体的な構成例としては、図１に示すように、変換アダプターが、指定の電池規格サイズと同様の直径・高さを有する筒状体１から成り、該筒状体１には、下位サイズの電池２を収容する収容部１１を有する構成であり、
該収容部１１に下位サイズの電池２を収容した状態で電気器具の電池ボックス（図示は省略）内に収納することにより、下位サイズの電池２を電気器具が指定する電池規格サイズとして使用することが可能な電池サイズ変換アダプターにおいて、
前記筒状体１が、指定の電池規格サイズと同様の直径・高さを有するこけし人形から成り、
該こけし人形の底面部１２から上方に向かって、１段階乃至は複数段階小さな下位サイズの電池２を収容する収容部１１が穿設されており、該収容部１１に下位サイズの電池２を収容することにより該こけし人形の頭頂部１３と底面部１２に電極部２１・２２が配設された状態となる構成である。
【００２４】
以下、本考案の詳細について更に説明する。
【００２５】
こけし人形から成る筒状体１は、伝統工芸品である真正のこけし人形と同様に、轆轤成形された木製であることが好ましく、模様や彩色についても真正のこけし人形と同様であることがより好ましい。
【００２６】
筒状体１の収容部１１に収容した下位サイズの電池２は、図１に示すように筒状体１の底面部１２から電池２の下端の−極（マイナス極）の電極部２２が露出し、頭頂部１３から電池２の上端の＋極（プラス極）の電極部２１が露出する構成となる。
【００２７】
この構成により、使用する電気器具の指定する電池規格サイズと同様の直径・高さを有するこけし人形である筒状体１に収容した下位サイズの電池２の電極部２１・２２が、頭頂部１３と底面部１２から露出しているので電気器具の電池ボックスに収納した際に該電池ボックス内の電池受け金具である電極ターミナルに当接して通電可能となる。
【００２８】
この図１に示す実施例の構成によれば、高さは略同等であるが直径が異なる電池を用いる場合、即ち、指定の電池規格サイズが単２形であり、この単２形と略同じ高さであるが直径が細い単３形の電池を使用する場合に、この単３形の電池の直径を単２形の直径と同等サイズに変換して用いることが可能である。
【００２９】
上記した図１に示す実施例では、電池規格サイズが高さは略同じではあるが直径が異なる電池のサイズを変換する態様を示すものであったが、図２に示す実施例は、直径と高さの両方が異なる電池のサイズを変換する態様を示すものである。
【００３０】
即ち、こけし人形である筒状体１の頭頂部１３に通電部１４が露出状態で設けられており、この通電部１４の他端が前記収容部１１の内部に露出すると共に、この露出した通電部１４の他端に、収容した電池２の＋極の電極部２１が接触通電する構成である。
【００３１】
この構成により、筒状体１に収容した下位サイズの電池２は、筒状体１の底面部１２から電池２の下端の−極の電極部２２が露出して−極側の電極ターミナルに通電し、電池２の上端の＋極の電極部２１は収容部１１内において通電部１４の他端に当接して通電することによって、この通電部１４が当接する＋極側の電極ターミナルに通電可能となる。
【００３２】
前記通電部１４は、真鍮・金・金メッキ加工された金属等の公知公用の導電性材料から形成されたものを用いることができる。
【００３３】
この図２に示す実施例の構成によれば、直径のみならず高さが異なる電池、即ち、指定の電池規格サイズが単１形のものに単２形・単３形・単４形・単５形を使用する場合、単２形のものに単４形・単５形を使用する場合、単３形のものに単４形を使用する場合に、直径と高さの両方を指定の電池規格サイズと同等サイズに変換して用いることが可能である。尚、図２では、こけし人形である筒状体１は単１形と同様の直径と高さを有し、収容部１１に単３形の電池２を収容した態様を示している。
【００３４】
以上の構成を有する本考案の電池サイズ変換アダプターによれば、伝統工芸品である真正のこけし人形と同様の技術によって作成されることにより、高い審美性を有し、家庭や職場において身近な目に付く場所に違和感無く常に飾っておくことができる。従って、保管庫や引き出しの奥等にしまわれることなく、いつでも誰でもが身近に手に取ることができる場所に置いておくことができるので、災害発生時等の緊急時においては、電灯の点かない暗闇の中であっても捜し出す苦労も無く、直ぐに手にとって使用することが可能である。
【００３５】
以上、本考案に係る電池サイズ変換アダプターについて説明したが、本考案は上記した実施例に限定されず、本考案の範囲内において他の態様を採ることができる。
【００３６】
例えば、図２に示す実施例では、通電部１４を筒状体１の頭頂部１２に設けた構成としているが、通電部１４を底面部１２に設けると共に頭頂部１３から収容部１１に収容した電池２の＋極の電極部２１を露出する構成としてもよい。
【００３７】
更に、頭頂部１３と底面部１２の両方に通電部１４を設けることにより収容部１１に収容した電池２の両方の電極部２１・２２が筒状体１から露出しないような構成としてもよい。尚、この構成の場合、電池２を収容部１１に収容するためには、こけし人形である筒状体１について例えば首部分から頭部と胴部とを分離可能する等の構成が必須となる。
【符号の説明】
【００３８】
１  筒状体
１１  収容部
１２  底面部
１３  頭頂部
１４  通電部
２  電池
２１  電極部（＋）
２２  電極部（−）
【図１】
0003205551.tif 000003
【図２】
0003205551.tif 000004